(57)【要約】【課題】より安全にかつ快適な入浴を図ることのできる風呂装置を提供する。【解決手段】入浴中と判定されると入浴時間を積算し、入浴時間が設定時間に達すると出浴を促す報知を行う。設定時間を浴槽湯温に基づいて設定し（Ｘ，Ｘｃ）、設定された設定時間をさらに浴槽水位に基づいて修正する（Ｚ，Ｚｃ）。浴槽湯温の標準温度４１℃に対し標準時間値１０分を設定し、浴槽湯温が高ければより短く、低ければより長くする。但し、深部体温の低下しすぎを予防するために体温よりも低い温度域ではより短く変更する。浴槽水位が標準水位よりも低ければ、設定された設定時間の時間値をより長く変更する。【選択図】図５
2018117847.tif 000002
【特許請求の範囲】
【請求項１】
入浴中であるか否かを判定する入浴判定手段と、入浴時間を計測する入浴計測手段と、報知部と、前記入浴時間が設定時間に達すると前記報知部によって所定の報知を行う入浴サポート手段とを備えている風呂装置において、
前記入浴サポート手段は、前記設定時間を浴槽水位に基づいて設定するように構成されている、
ことを特徴とする風呂装置。
【請求項２】
請求項１に記載の風呂装置であって、
前記浴槽水位を検出するための水位検出手段を備え、前記入浴サポート手段は前記設定時間を前記水位検出手段により検出された浴槽水位に基づいて設定されるように構成されている、風呂装置。
【請求項３】
請求項１に記載の風呂装置であって、
浴槽水位を設定するための設定手段を備え、前記入浴サポート手段は前記設定時間を前記設定手段により設定された浴槽水位に基づいて設定されるように構成されている、風呂装置。
【請求項４】
請求項１〜請求項３のいずれかに記載の風呂装置であって、
前記入浴サポート手段は、前記設定時間を浴槽水位が低いほど長い時間値になるように設定するように構成されている、風呂装置。
【請求項５】
請求項４に記載の風呂装置であって、
前記入浴サポート手段は、全身浴に相当する浴槽水位での設定時間よりも半身浴に相当する浴槽水位での設定時間を長く設定するように構成されている、風呂装置。
【発明の詳細な説明】
【技術分野】
【０００１】
本発明は、入浴者に対し出浴を促すためのお知らせ機能を有する風呂装置に関する。
【背景技術】
【０００２】
平成２８年１月２０日付け消費者庁Ｎｅｗｓ  Ｒｅｌｅａｓｅ「冬場に多発する高齢者の入浴中の事故にご注意下さい！」にも記載されているように、入浴は、身体を清潔に保つだけでなくリラックス効果をも期待できる我が国の重要な生活習慣の一つである一方、入浴する際の身体状況や入浴の環境によっては、意識障害を起こし溺水する等重大な事故につながる危険性がある。入浴時間の目安として、４１℃以下の湯に漬かる場合、１０分までとされている。平成２５年度の厚生労働省の研究班の調査では、救急車で運ばれた患者数から推計した入浴中の事故死の数は年間約１万９０００人とされている。入浴中の事故死は冬季に多く、１２月から２月にかけて全体の約５割が発生し、入浴中の事故死の数と気温に相関がみられるという報告もある。また、入浴中の事故死は、ほとんどが浴槽内で起きており、熱い湯に肩まで浸かるという日本固有の入浴スタイルが影響していると考えられている。
【０００３】
このような現況に鑑み、例えば下記の特許文献１には、入浴開始からの入浴時間が所定の設定時間に達すると、入浴者に対し出浴を促すための報知が可能な風呂装置（入浴装置）が開示されている。そして、設定時間としては、浴槽湯温と、浴室温度とから最適な入浴時間を設定すればよいことが記載されている（特許文献１の段落番号０００２参照）。
【０００４】
又、例えば下記の特許文献２には、クールダウン浴が提案され（特許文献２の段落番号０００９〜００１１）、このクールダウン浴用に浴槽湯温を変更させるための湯温調整機能を備えた風呂装置が提案されている（特許文献２の段落番号００４９等参照）。
【先行技術文献】
【特許文献】
【０００５】
【特許文献１】特開２００３−３１０４６２号公報
【特許文献２】特開２０１５−２５５８１号公報
【発明の概要】
【発明が解決しようとする課題】
【０００６】
ところで、入浴者の安全かつ快適な入浴を図るために、入浴時間が設定時間に到達すれば、出浴を促すための案内を報知するという出浴お知らせ機能を、ユーザー（入浴者）の入浴状況や事情に即してより良いものとする上で、検討すべき課題は多々あると考えられる。
【０００７】
すなわち、入浴時の浴槽湯温の設定等はユーザーにより様々であり、又、入浴形態にも様々なものがあると考えられる。このため、固定値として設定した設定温度や設定時間を用いて出浴を促すための報知を画一的に行うようにすると、短過ぎて入浴者の意図に沿わない結果を招いたり、逆に長湯の誘発により熱中症を引き起こすおそれを招いたりすることになる。従って、設定時間等を如何に設定して出浴お知らせ機能の充実を如何に図るかについて、さらなる検討・改良を進める必要がある。
【０００８】
そこで、本発明は、より安全にかつ快適な入浴を図ることのできる風呂装置を提供することを目的とする。
【課題を解決するための手段】
【０００９】
上記目的を達成するために、入浴者の脇を含む上半身が浴湯に浸かっているか、あるいは、浴湯よりも上に露出した半身浴状態であるか、というように浴槽水位の如何によって、出浴を促すための適切なタイミングは大きく異なると考えられる点に着目して、本発明では、以下の技術的手段を講じることとした。
【００１０】
すなわち、本発明は、入浴中であるか否かを判定する入浴判定手段と、入浴時間を計測する入浴計測手段と、報知部と、前記入浴時間が設定時間に達すると前記報知部によって所定の報知を行う入浴サポート手段とを備えている風呂装置を対象にして、前記入浴サポート手段が、前記設定時間を浴槽水位に基づいて設定するように構成されていることを特徴とした（請求項１）。
【００１１】
かかる本発明の風呂装置によれば、報知部によって所定の報知、例えば出浴を促すための報知を行うまでの時間値（設定時間）を、浴槽水位に基づいて設定するようにしているため、例えば全身浴のときの浴槽水位よりも低い浴槽水位のときには設定時間をより長い時間値とする等に変更することが可能となる。このため、入浴者の脇を含む上半身が浴湯に浸かっている全身浴状態か、あるいは、浴湯よりも上に露出した半身浴状態であるか、というように浴槽水位の如何によって、出浴を促すための出浴お知らせのタイミングを適切に変更することができ、入浴者に対しより安心にかつ快適に入浴を行わせることができる。これにより、熱中症予防も確実に図りつつ、入浴者が報知部からの出浴を促すための報知に煩わされることを回避し得る。
【００１２】
前記の浴槽水位は、水位検出手段により検出される現実の検出水位を用いてもよく、又、予め設定手段に対し入力設定された設定水位（例えば湯張り量又は湯張り水位）を用いてもよい。水位検出手段としては、追焚循環路等に設置した圧力式の水位センサや、浴槽に設置した水位センサ等を用いればよい。又、設定手段としては、リモコンを用いればよい。そして、設定時間としては、浴槽水位が低いほど長い時間値になるように設定することができる。例えば、全身浴に相当する浴槽水位での設定時間を半身浴に相当する浴槽水位まで、直線状に、曲線状に、又は、段階的に、長くなるように変更設定することができる。そして、半身浴の浴槽水位まで低下するほど、設定時間を長めに変更可能であるため、クールダウン浴を希望する入浴者の意図にも沿うこととなる。但し、入浴者の深部体温の低下しすぎを予防する観点から、浴槽湯温が体温よりも低温域であれば、前記の設定時間をより短くすることが好ましい。
【００１３】
なお、入浴判定手段は、浴室内に設けた赤外線センサ等の人感センサによって浴槽内に入浴中であるか否かを判定するものであってもよいし、浴槽内湯水の水位の変動に基づいて浴槽内に入浴中であるか否かを判定するものであってもよいし、その他適宜の構成であってよい。
【発明の効果】
【００１４】
以上説明したように、本発明の風呂装置によれば、入浴中であると判定されて計測された入浴時間が設定時間に達すると報知部によって所定の報知を行うためのサポート手段において、前記設定時間を浴槽水位に基づいて設定されるように構成しているため、入浴者の脇を含む上半身が浴湯に浸かっている全身浴状態か、あるいは、浴湯よりも上に露出した半身浴状態であるか、というように浴槽水位の如何によって、出浴を促すための出浴お知らせ等の報知のタイミングを適切に変更することができ、入浴者に対しより安心にかつ快適に入浴を行わせることができる。
【図面の簡単な説明】
【００１５】
【図１】本発明の一実施形態に係る風呂装置の作動原理図である。
【図２】同風呂装置の設置状況の例を示す説明図である。
【図３】出浴お知らせモードを主とする入浴サポート制御の基本制御を示すフローチャートである。
【図４】出浴お知らせモードで用いる設定時間の第１の設定手法について示すフローチャートである。
【図５】浴槽湯温又は設定温度と、設定時間との間の関係を示すグラフである。
【図６】浴槽水位と、設定時間との間の関係を示すグラフである。
【図７】出浴お知らせモードで用いる設定時間の第２の設定手法について示すフローチャートである。
【発明を実施するための形態】
【００１６】
図１は、本発明の一実施形態に係る風呂装置の模式図である。この風呂装置は、風呂追い焚き機能を有する給湯装置１と、該給湯装置１の各種運転操作を行うためのコントローラとしての台所リモコン５１及びふろリモコン５２とを備えている。台所リモコン５１は台所Ｋ（図２参照）に設置され、ふろリモコン５２は浴槽６が設置された浴室Ｙに設置されている。これら各リモコン５１，５２は、これらとは別の場所に設置された給湯装置１の制御部５と通信可能に接続され、各リモコン５１，５２からの操作信号等や、逆に制御部５からの表示信号又は動作信号等が送出可能となっている。
【００１７】
給湯装置１は、給湯機能を実現する給湯回路２、追い焚き機能を実現する追焚回路３、給湯回路２から追焚回路３へ湯張り等のために湯又は水を供給する注水・注湯回路４、及び、これらの作動制御を行う制御部５を備えている。なお、図例のものは１缶２水タイプのものを図示しているが、これに限らず、２缶２水タイプのものでも本発明を実施することができる。又、図例のものは、熱交換器として、燃焼ガスの顕熱を吸熱する一次熱交換器に加え燃焼排ガスからの潜熱を回収する二次熱交換器を組み合わせた潜熱回収型に構成されたものを図示しているが、これに限らず、二次熱交換器を有しないものでも本発明を実施することができ、潜熱回収型であることは必須ではない。以下の説明では、一次熱交換器及び二次熱交換器を組み合わせたものを、単に給湯用熱交換器２２又は追焚用熱交換器３２と表示する。
【００１８】
給湯回路２は、水道水等の給水を給水路２１を介して給湯用熱交換器２２に導き、給湯用熱交換器２２において燃焼バーナ２３で生じる燃焼熱との熱交換加熱により加熱した湯を給湯路２４に出湯させ、この湯を台所や洗面所等の各所の給湯栓２５まで給湯するようになっている。給水路２１と給湯路２４との間には、給湯用熱交換器２２をバイパスして給水路２１からの給水を給湯路２４に流入させるバイパス路２６が設けられ、バイパス弁２６ａを開にすれば連通するようになっている。給水路２１には流量センサ２７や給水温度を検出する給水温度センサ２８が介装され、給湯路２４には給湯用熱交換器２２で加熱された直後の出湯の温度を検出する缶体出口温度センサ２９が介装されている。
【００１９】
追焚回路３は、追い焚き機能を実現するために、浴槽６の循環アダプタ６１と追焚用熱交換器３２との間に配管された戻り路３０ａ及び往き路３０ｂから主構成される循環回路により構成され、浴槽６内に湯張りされた浴槽湯水を所定温度まで追い焚き加熱し得るようになっている。すなわち、循環ポンプ３１の作動により浴槽６から戻り路３０ａを通して追焚用熱交換器３２に浴槽湯水が供給され、かかる浴槽湯水が燃焼バーナ３３で発生する燃焼熱により追焚用熱交換器３２で熱交換加熱されて追い焚きされ、追い焚き後の浴槽湯水が往き路３０ｂを通して浴槽６に戻されるよう構成され、戻り路３０ａを通過する浴槽湯水の温度が所定の目標温度となるまで追い焚きされるようになっている。循環ポンプ３１は戻り路３０ａ及び往き路３０ｂのいずれか一方(図例では戻り路３０ａ)に介装されている。戻り路３０ａには流れを検知して後述の制御部５に出力する水流スイッチ３４や戻り路３０ａにより戻される浴槽６内の浴槽湯水の温度（浴槽湯温）を検出する戻り温度センサ３５が介装され、又、往き路３０ｂには追い焚き後の浴槽湯水の温度を検出する往き温度センサ３６が介装されている。なお、図１中の符号３７は、前記の給湯用燃焼バーナ２３や追焚用燃焼バーナ３３に燃料ガスを供給するためのガス供給系である。
【００２０】
注水・注湯回路４は、給湯路２４の途中から分岐して追い焚き循環路３０の戻り路３０ａに連通接続される注湯路４１を備えており、この注湯路４１を通して給湯路２４の湯水が戻り路３０ａに流入され、これが両側に分流して戻り路３０ａ及び往き路３０ｂのそれぞれを通す両搬送形式で浴槽６に注湯（又は注水）されるようになっている。注湯路４１には、給湯路２４の側である上流側から順に流量センサ４２，注湯電磁弁４３，逆流防止用の一対の逆止弁４４，上流側での負圧発生時に逆流発生を防止する縁切り弁４５がそれぞれ介装され、加えて、追焚循環路３０との合流点近傍には浴槽６内の水位を検出する圧力式の水位センサ４６が介装されている。
【００２１】
なお、図１中の符号７は外気温センサであり、この外気温センサ７はケース内の雰囲気温度を検出することにより外気温を検出するようになっている。又、符号８はドレン処理装置であり、このドレン処理装置８は、給湯用熱交換器２２や追焚用熱交換器３２に含まれる二次熱交換器において燃焼排ガスが潜熱回収のための熱交換により冷やされて凝縮することにより生じたドレンを集水路８２を介して集水し、中和槽８１で中和処理した上で排水路８３から排水させるために設置されたものである。
【００２２】
以上の給湯回路２，追焚回路３及び注水・注湯回路４等は、マイコンにより主構成される制御部５によって、給湯運転、追焚運転、注水・注湯による湯張り運転、又は、湯張り・追焚・保温までを自動制御するふろ自動運転等の各種の運転制御や、出浴お知らせモード等の安心入浴をサポートするための入浴サポート制御が、台所リモコン５１及びふろリモコン５２からの指令並びに上記の各種センサの検出値等に基づいて行われるようになっている。
【００２３】
台所リモコン５１及びふろリモコン５２は、従来公知の構成を有し、操作ボタン又はタッチパネルの操作によって、ふろ自動運転制御時の入浴時の浴槽湯温の設定温度を、例えば３３℃〜４８℃の範囲内で１℃刻みで設定可能に構成されている。いずれか一方のリモコンにおける設定内容は他方のリモコン並びに給湯装置１の制御部５にも送信されて記憶保持される。
【００２４】
ふろリモコン５２は浴室Ｙの壁面に設置され、特に本実施形態では、赤外線センサーにより構成される人感センサー５３がふろリモコン５２に設けられて、人感センサー５３の検出信号に基づいて入浴中であるか否かを判定する入浴判定手段として機能するよう構成されている。人感センサ５３は、浴槽６内に人が入ったことを確実に検出し得るように向きや設置位置が設定されている。このため、浴室Ｙに浴室テレビ６２が設置されている場合には、ふろリモコン５２に代えて、又はふろリモコン５２に加えて、人感センサを浴室テレビ６２に設けることができる。なお、浴室Ｙ内に人が入ったことを検出するように人感センサが設けられる場合、浴室内に人が入ることをもって「入浴中」と判定することとなるが、浴室Ｙへの入室後浴槽６に入るまでの間に入浴時間の積算が開始されてしまうことを回避するため、入室後所定時間の経過をもって「入浴中」であると判定させることが可能である。さらに、この場合には、後述の水位検出を併用することにより、入浴中か否かの判定を確実に行うことができる。
【００２５】
なお、ふろリモコン５２に例えば入浴開始スイッチを設け、入浴者が浴槽６に入浴する際に入浴開始スイッチをオン操作させるようにしている場合、つまり、入浴者が入浴サポート制御による安心入浴を積極的に受けることを希望している場合には、その入浴開始スイッチのオン信号の出力をもって「入浴中」（入浴開始）と判定することができる。
【００２６】
また、前記のようにふろリモコン５２（又は浴室テレビ６２）を入浴判定手段として機能させるのではなく、水位センサ４６の検出水位を監視する給湯装置１の制御部５を入浴判定手段として機能させることもできる。すなわち、水位センサ４６の検出水位が急激に所定量増加した場合に、その後検出水位が急激に所定量低下するまでの間、「入浴中」であると判定し、検出水位が急激に所定量低下してから急激に所定量増加するまでの間は「入浴していない」と判定するよう制御部５を構成することができる。また、上記の人感センサー５３によって「入室」を判定し、入室中であると判定されているときに水位センサ４６の検出水位が急激に増加すると「入浴中」であると判定するよう構成することもできる。入浴中か否かの判定の基準及び方法はどのようなものであってもよく、適宜変更できる。
【００２７】
浴槽６内の水位検出を行う水位検出手段としては、前記の水位センサ４６による他、例えば浴槽６に設置した水位センサにより構成することができ、又、例えば天井壁に設置し浴槽６内の水面に対し上から真下に向けて超音波パルスを発し超音波反射パルス方式により水面位置を検出する超音波パルスの送受波器を用いて構成することもできる。
【００２８】
制御部５によるふろ自動運転制御について詳細に説明すると、ふろ自動運転制御は、リモコン５１，５２のふろ自動スイッチをユーザーがＯＮ操作することで開始され、まず、ふろ自動運転開始指令、並びに、湯はり量（又は湯張り水位）及び目標温度（予め記憶されている設定温度又はユーザーが入力設定した設定温度）に関する情報が、リモコン５１，５２から制御部５に送信される。これにより、制御部５は、注水・注湯回路４及び追焚循環路３０を通して給湯回路２からの湯を浴槽６に注湯する。この際の注湯量は水位センサ４６又は注湯流量センサ４２の積分等により把握・特定されて、浴槽６内には所定水位まで湯張りされることになる。次に、追焚回路３の追焚用燃焼バーナ３３及びガス供給系３７からなる追焚燃焼系や循環ポンプ３１が作動制御され、追焚用燃焼バーナ３３の燃焼熱を受けて追焚用熱交換器３２を通る浴槽６内の湯水が熱交換加熱され、リモコン５１，５２から指示された目標温度まで追焚加熱されることになる。追焚加熱が終了すれば、引き続いて、浴槽６内の湯水温度を目標温度に維持させるために間欠的に追焚制御を実行する保温運転を設定時間（例えばふろ自動スイッチＯＮから４時間）が経過するまで、又は、ユーザーによりふろ自動スイッチがＯＦＦされるまで行う。
【００２９】
そして、本実施形態では、ふろ自動スイッチがＯＮ操作されると、あるいは、湯張り又は追焚加熱が完了すると、入浴判定手段により入浴中か否かの判定が開始され、入浴中と判定されると制御部５で入浴タイマーによる入浴時間の積算が開始されて、入浴サポート制御が開始される。リモコン５１，５２に、出浴お知らせモード又は出浴お知らせモードを含む入浴サポート制御をオンにするかオフにするかを選択し得る安心入浴スイッチが設けられている場合には、かかる安心入浴スイッチがオン操作されることで、前記の入浴判定手段による判定や、入浴タイマーによる積算等を開始させて入浴サポート制御を開始させることができる。
【００３０】
なお、ふろリモコン５２が入浴中であるか否かを判定する場合には、かかる判定結果に応じてふろリモコン５２が入浴時間の積算等の以下説明する入浴サポート制御を実行するように構成することができる。また、制御部５が入浴中であるか否かを判定する場合には、かかる判定結果に基づいて制御部５が前記入浴サポート制御を実行するように構成することができる。従って、制御部５及び／又はリモコン５１，５２が、出浴お知らせモードを含む入浴サポート制御を実行するための入浴サポート手段として機能する。
【００３１】
図３は、入浴サポート制御の基本制御内容を示すフローチャートである。まず、前記の入浴判定手段により入浴中と判定されると（ステップＳ１でＹＥＳ）、入浴の経過時間である入浴時間の計測、すなわち、入浴タイマーによる入浴時間の積算を開始する（ステップＳ２）。そして、計測された入浴時間が設定時間に達すると（ステップＳ３でＹＥＳ）、出浴お知らせを実行する（ステップＳ４）。出浴お知らせは、入浴者に出浴を促すための報知であり、報知部としてのふろリモコン５２を用いて、その表示部にその旨のテキスト文字等による案内の表示、音声案内によるその旨のアナウンス、メロディー又は警報の吹鳴等から選択したいずれか又は組み合わせによって行うことができる。
【００３２】
かかる出浴お知らせを実行したとしても出浴が確認されない場合には、出浴が確認されるまで所定の時間間隔毎に繰り返し出浴お知らせを実行する、あるいは、出浴お知らせを行っても出浴が確認されない旨又は入浴が継続している旨の入浴状況に係る情報を台所リモコン５１により報知（表示、音声又は警報）する、等の入浴サポートモードを付加することができる。出浴の確認は、入浴判定手段による判定が入浴中から入浴中ではなくなったことで確認することができる他、水位センサ４６による検出水位が急低下することでも確認することができる。又、安心入浴スイッチが設けられている場合には、その安心入浴スイッチのオフ操作に基づく信号出力をもって、出浴の確認とすることができる。
【００３３】
又、入浴中と判定されてから、又は、入浴中との判定から一定時間経過後から、前記の出浴確認までの間、台所リモコン５１に対し現在入浴中である旨の入浴状況案内に係る報知（案内表示やランプ点灯）を追加して行うことができる。なお、出浴お知らせを含め、前述の出浴が確認されない場合のサポートモードや、入浴状況案内等について、リモコン５１，５２の操作ボタン又はタッチパネルの操作によって、選択的に個別解除可能に、もしくは、一括して解除可能に構成することができる。
【００３４】
前記の設定時間の時間値の設定は、浴槽湯温（設定温度）と浴槽水位とに基づいて行う。なお、設定時間の時間値については入浴サポート手段による自動設定処理に加えて、リモコン５１，５２を用いてユーザー自ら所望の時間値を入力設定し得るように構成することができる。例えば、リモコン５１，５２を、操作ボタン又はタッチパネルの操作によって、入浴開始から出浴お知らせまでの希望時間値を例えば分刻みで設定可能に構成することができる。
【００３５】
図４に示す第１の設定手法では、リモコン５１，５２に対し設定時間の時間値が入力設定されているか否かを確認し（ステップＳ１１）、もしも、入力設定されていれば（ステップＳ１１でＮＯ）、その入力設定された時間値を設定時間として設定する（ステップＳ１５）。入力設定されていなければ（ステップＳ１１でＹＥＳ）、ステップＳ１２以降の処理で時間値を設定する。まず、浴槽湯温を取得し（ステップＳ１２）、浴槽水位を取得する（ステップＳ１３）。
【００３６】
浴槽湯温は、リモコン５１，５２に設定されたふろ自動運転制御における目標温度（設定温度）を用いる。保温運転実行中であれば、戻り温度センサ３５や往き温度センサ３６の検出温度を用いることもできる。又、追焚運転中もしくは保温運転中ではなくても、ふろ自動運転で行われた前回の追焚運転もしくは保温運転で得た前記検出温度を記憶しておき、これを浴槽湯温として用いるようにすることができる。
【００３７】
一方、浴槽水位は、追焚運転時又は保温運転時に水位センサ４６により検出される浴槽水位を用いる他、水位センサ４６以外に、前記の水位検出手段を用いることができる。なお、浴槽水位を、ユーザーがリモコン５１，５２に予め設定し、ふろ自動運転制御において取得された湯はり量（又は湯張り水位）に基づいて取得することもできる。この場合は、例えば浴槽水位／湯張り量（例えば２ｃｍ／１０Ｌ）に係る換算式を用いて、湯張り量から演算により浴槽水位を取得することができる。つまり、ここで用いる浴槽水位は、現実にセンサ等で検出される検出水位の他に、予めユーザー等が入力設定した設定水位を用いることもでき、リモコン５１，５２が浴槽水位を設定するための設定手段を構成する。
【００３８】
そして、取得した浴槽湯温と浴槽水位とに基づいて設定時間の時間値を設定する（ステップＳ１４，Ｓ１５）。この設定は次に示すように、まず浴槽湯温に基づいて推奨時間値を決定し、次いで浴槽水位に基づいて決定された推奨時間値を修正する。すなわち、浴槽湯温（設定温度）が例えば４１℃でかつ浴槽水位が例えば４０ｃｍのときを標準ケースとして定め、これに対する基準の推奨時間値（設定時間値）として例えば１０分間を定める（図５の〇印参照）。そして、まず、取得された浴槽湯温がそれ以上に高温域であれば熱中症予防の観点から推奨時間値をより短く変更する（図５の関係線Ｘ参照）。次に、浴槽湯温がそれ未満の低温域であれば、ユーザーがクールダウン浴を意図していると判定して推奨時間値をより長く（長湯を許容）変更する。かかる浴槽湯温に基づいて変更される設定時間は、演算により求める場合は、浴槽湯温が３６℃以上の範囲において、例えば次の関係式（１）により演算することができる。なお、後述の関係式（２），（３）を含め、関係式（１）〜（３）はいずれも論理式ではなくて近似式である。
設定時間値（分）＝（２５３０／浴槽湯温）−５１    …（１）
【００３９】
但し、以上は熱中症予防の観点から定めたものである。このため、前記の低温域であっても、その浴槽湯温が体温を下回る低温域の場合（例えば３６℃未満の低温域の場合）には、深部体温の低下しすぎを予防する観点から、推奨時間値を逆により短くするようにしている（図５の関係線Ｘｃ参照）。かかる深部体温の低下しすぎを予防するための設定時間は、演算により求める場合は、例えば次の関係式（２）により演算することができる。
設定時間値（分）＝（３．３×浴槽湯温）−１００    …（２）
【００４０】
次に、浴槽湯温に基づいて決定された推奨時間値を浴槽水位に応じて修正する。この修正は、取得された浴槽水位が標準水位（４０ｃｍ）に比して低ければ、その浴槽水位が低いほど推奨時間値をより長めに変更する。標準水位は脇の下を含む上半身が浴湯に浸かったときの浴槽水位を想定しており、その標準水位から半身浴に対応する低水位領域（例えば２５ｃｍまでの水位領域）であれば、脇の下が浴湯よりも上に露出しているため、熱中症予防の観点よりも、よりリラックスして入浴を楽しみたいというユーザーの意図を優先させることができる。このため、設定時間として長めの時間値とすることで、出浴お知らせに煩わされることなく、リラックスして長湯を楽しむことができるようにさせ得る。
【００４１】
図６の例は、浴槽湯温が標準温度（４１℃）の場合の標準水位Ｈｂと半身浴に相当する浴槽水位Ｈａとの間の水位範囲における浴槽水位と、設定時間の時間値（推奨時間値）との関係を示すグラフである。このようなグラフが浴槽湯温毎に設定され、制御部５及び／又はふろリモコン５２は、かかるグラフに示される関係に基づいて推奨時間値を浴槽水位に応じて変更し得るよう構成できる。なお、当該関係としては、図６の例の如く直線状にリニアに変化するものの他に、曲線状に変化するもの、あるいは、階段状に変化するものを用いることができる。さらに、当該関係は、数式の形態で実装されていてもよく、各浴槽湯温毎の浴槽水位に対応して関連づけられた設定時間値の関係テーブルの形態で実装されていてもよい。
【００４２】
図７は第２の設定手法を示すものである。この第２設定手法では、浴槽湯温に基づいて決定した設定時間値（推奨時間値）を第１設定手法の如く浴槽水位の如何に応じて変更するのではなくて、浴槽水位が標準水位のときと、半身浴に相当する水位のときとの２段階に分けて設定時間値（推奨時間値）を変更するものである。なお、浴槽湯温の取得法や、浴槽水位の取得法は第１の設定手法で説明したものと同じである。
【００４３】
すなわち、リモコン５１，５２に対し設定時間の時間値が入力設定されているか否かを確認し（ステップＳ２１）、もしも、入力設定されていれば（ステップＳ２１でＮＯ）、その入力設定された時間値を設定時間として設定する（ステップＳ２２）。入力設定されていなければ（ステップＳ２１でＹＥＳ）、浴槽湯温を取得して（ステップＳ２３）、取得した浴槽湯温に基づいて推奨時間値を決定する（ステップＳ２４）。このステップＳ２４で決定される設定時間値は、浴槽湯温が３６℃以上の領域（熱中症予防を主観点とする領域）では関係線Ｘ（図５参照）、３６℃未満の領域（深部体温の低下しすぎの予防を主観点とする領域）では関係線Ｘｃ（同図参照）により得られる時間値であり、第１の設定手法と同じである。
【００４４】
次に、浴槽水位を取得し（ステップＳ２５）、その浴槽水位は半身浴に対応する水位値（例えば２５ｃｍを中心とする一定範囲の水位値）であるか否かを判定する（ステップＳ２６）。浴槽水位が半身浴に対応する水位値であれば（ステップＳ２６でＹＥＳ）、ステップＳ２４で得られた推奨時間値にプラスαの時間値（例えば５分間）を追加して設定時間として設定する（ステップＳ２７）。すなわち、図５の関係線Ｚ（浴槽湯温が３６℃以上の場合）及び関係線Ｚｃ（浴槽湯温が３６℃未満の場合）により得られる設定時間の時間値を設定する。関係線Ｚは次の関係式（３）により表すことができる。
設定時間値（分）＝（２５３０／浴槽湯温）−４６    …（３）
一方、浴槽水位が半身浴ではなければ、例えば標準水位（４０ｃｍ）を中心とする一定範囲の水位値であれば、ステップＳ２４で得られた推奨時間値を設定時間として設定する（ステップＳ２８）。
【００４５】
以上の実施形態の場合、入浴者の脇を含む上半身が浴湯に浸かっているか、あるいは、浴湯よりも上に露出した半身浴状態であるか、というように浴槽水位の如何によって、出浴を促すための出浴お知らせのタイミングを適切に変更することができ、入浴者に対しより安心にかつ快適に入浴を行わせることができる。
【００４６】
本発明は、上記実施形態に限定されるものではなく、適宜設計変更できる。例えば、図５に示した浴槽湯温と設定時間との関係は例示であり、設定時間を他の関係に基づいて定めることができる。又、例示した各種の入浴サポートも、ユーザーの好みや各種センサーの検出誤差等を考慮して、手動で設定変更できるように構成しておくこともできる。例えば、入浴サポート手段が自動で設定した設定時間の時間値をリモコン５１，５２に表示させ、その表示された設定時間を、長めもしくは短めという変更ボタンを押圧操作することで例えば１分刻みに手動で変更可能に構成することができる。
【００４７】
さらに、前記実施形態では、浴槽湯温に基づいて設定時間を設定しているが、例えば、浴室Ｙの温度（浴室温度）に基づいて、又は、浴室温度も併用して、設定時間の設定を行うことができる。浴室温度は、例えばふろリモコン５２に搭載した温度センサや、バス乾燥機６３（図２参照）に搭載した温度センサにより得ることができる。
【符号の説明】
【００４８】
５  制御部（入浴サポート手段）
４６  水位センサ（水位検出手段）
５１  台所リモコン（入浴サポート手段、設定手段）
５２  ふろリモコン（入浴サポート手段、報知部、設定手段）
５３  人感センサ（入浴判定手段）
【図１】
2018117847.tif 000003
【図２】
2018117847.tif 000004
【図３】
2018117847.tif 000005
【図４】
2018117847.tif 000006
【図５】
2018117847.tif 000007
【図６】
2018117847.tif 000008
【図７】
2018117847.tif 000009